(57)【特許請求の範囲】
【請求項１】
底部に水切りのための多数の透孔を有する水きり篭と、前記水きり篭の下部に組み合わされる水受け容器を持った本体ケースと、前記水きり篭の上部開口を施蓋する蓋体からなる食器乾燥機の梱包装置にして、外箱内に収納される補助緩衝体は、前記水受け篭を保持すると共に前記水受け篭の底部透孔を貫通して篭内に至る複数の柱体を有する下部補助受体と、前記本体ケースの横方向の移動を止める凹凸部を有する上部補助受体からなり、前記両受体を外箱内に収納するとき、蓋体は、前記両受体に設けられた凹部に収納され、前記本体ケースが、下部補助受体の柱体の上端と上部補助受体間に挟持されると共に前記水受け篭内に位置して収納されることを特徴とする食器乾燥機の梱包装置。
【請求項２】
前記両受体は、各々左右対称に分割されて成ることを特徴とする請求項１の食器乾燥機の梱包装置。
【発明の詳細な説明】
【０００１】
【発明の属する技術分野】
本発明は、食器乾燥器の梱包装置に関し、特に食器乾燥器と箱体内壁との間に介在させる補助緩衝体の改良に関するものである。
【０００２】
【従来の技術】
従来、底部に水きりのための多数の透孔を有する水きり篭と、前記水きり篭の下部に組み合わされる水受け容器を持った本体ケースと、前記水きり篭の上部開口を施蓋する蓋体から構成されてた食器乾燥器が知られている。
【０００３】
かかる食器乾燥器の梱包は、発泡スチロ−ル等の発泡材製の補助緩衝体を用い、食器乾燥器の水受け篭、本体ケース、蓋体等を、それぞれの形状に合わせて発泡成形された補助緩衝体に納めて、梱包用の箱体（段ボ−ル箱）に収納するようにしている。従って、この食器乾燥器を梱包するに際しては、前記せる緩衝体は、水きり篭を保持する下部補助受体と、前記水きり篭内に収納される本体ケースを保持する為の内部緩衝体と、前記本体ケース及び下部補助受体に当接する上部補助受体で構成され、蓋体は、前記上下両部補助受体間に設けた凹部に収納されている。
【０００４】
図４は、食器乾燥器の斜視図を示し、この食器乾燥器（１）は、底部に多数の水きりのための透孔（２）（２）を持った合成樹脂製の水きり篭（３）と、その水きり篭（３）の下部に組み合わされ、上面は前記篭から落ちる水滴を受ける水受け容器（４）を持った本体ケース（５）と、前記水きり篭の上部開口（２０）を被う蓋体（６）から構成されている。蓋体（６）は、２枚あるいは３枚で構成されている。図５は、食器乾燥器の断面図である。なお、この本体ケース（５）には、図示されていないが、内部に乾燥風を作るためのヒータやファンが適宜設けられている。
【０００５】
図６及び図７は、従来の梱包装置の一例を示し、図６は、その梱包状態を側面から見た横断面図、図７は、同じく縦断面図である。（１１）は、段ボ−ル紙から出来ている外箱を示し、（１２）は、前記水受け篭（３）を受ける発泡スチロ−ル材からなる下部補助受体で、（１３）は、前記水受け篭内に収納される本体ケース（５）を上から押さえる同じく発泡スチロ−ル材の上部補助受体で、これら上下両部補助受体に、夫々凹部（１４）、（１５）が設けられ、この凹部（１４）、（１５）間に蓋体（６）が収納される。（１６）は、本体ケース（５）を保護し、前記水受け篭（３）の底部との間に介在させた内部緩衝体で、段ボール紙から成っている。
【０００６】
以上の構成において、食器乾燥器の梱包作業は、以下のようにして行われる。即ち、まず、段ボ−ル紙からなる箱体（１１）内に下部補助受体（１２）を組み込んで水きり篭（３）を下部補助受体内に収納し、次いで本体ケース（５）を内部緩衝体（１６）に収納したものを前記水受け篭（３）内に載置する。その後、蓋体（６）を下部補助受体（１２）の凹部（１４）に仮に収納する。これらの上から上部補助受体（１３）を載置すると、この上部補助受体（１３）の下面で、本体ケース（５）の上面を押圧し、本体ケース（５）は、内緩衝体（１６）を介して水受け篭（３）の底部と上部補助受体（１３）間に挾まって保持される。この時、蓋体（６）も上部補助受体（１３）の凹部（１５）によって保持される。
【０００７】
【発明が解決しようとする課題】
ところが、このような従来の食器乾燥器の梱包装置においては、本体ケース（５）を保持する内緩衝体（１６）を必要とし、しかもこの内緩衝体（１６）が水切り篭（３）内で本体ケース（５）の重みで移動しやすく、水きり篭（３）の内面に傷が付きやすい欠点を有していた。
【０００８】
本発明は、かかる内緩衝体（５）を省略してコストを引き下げるとともに、水受け篭の内面に接することなく本体ケースを水受け篭内に保持させる食器乾燥器の梱包装置を提供することを目的とするものである。
【０００９】
【課題を解決するための手段】
請求項１に記載の発明は、前記せる食器乾燥器の梱包装置にして、外箱内に収納される補助緩衝体は、前記水受け篭を保持すると共に前記水受け篭の底部透孔を貫通して篭内に至る複数の柱体を有する下部補助受体と、前記本体ケースの横方向の移動を止める凹凸部を有する上部補助受体からなり、前記両受体を外箱内に収納するとき、蓋体は、前記両補助受体に設けられた凹部に収納され、前記本体ケースが、下部補助受体の柱体の上端と上部補助受体間に挟持され、従って、従来品のように内緩衝体によって水受け篭の内面に擦り傷の出来るのを防止することができる。
【００１０】
請求項２に記載の発明は、前記上下の両補助受体を夫々左右対象にして中間部を略し、材料の軽減をはかることができる上に、部分的に分けて装着することにより、作業が容易になる。
【００１１】
【発明の実施の形態】
以下、本発明の実施の形態を図面を参照して説明する。
【００１２】
図３は本発明の一実施例に係る梱包装置の分解斜視図、図１はその梱包状態を側面から見た要部横断面図、図２は同じく縦断面図である。
【００１３】
前述したように、食器乾燥器（１）は、底部に多数の水きりのための透孔（２）（２）を有した水きり篭（３）と、その水きり篭（３）の底部に組み合わされて水きり篭（３）から落ちる水滴を受ける水受け容器（４）を持った本体ケース（５）と、前記水きり篭（３）の上部開口（７）を施蓋する蓋体（６）から構成されている。この蓋体（７）は、図のように３枚が重ね代をもったものであるが、２枚で構成される場合もある。又、本体ケース（５）は、図示していないが、内部に乾燥風を送るためのヒータやファンを有している。而して、食器乾燥器の使用時には、本体ケース（５）の上に水きり篭（３）を載せ、さらに水きり篭（３）を蓋体（６）で施蓋して組み立てられる。
【００１４】
図４、図５で、（１１）は段ボール紙よりなる外箱で、この外箱（１１）内に補助緩衝体である下部補助受体（１２）と上部補助受体（１３）を収納した梱包装置あり、下部補助受体（１２）は、水受け篭（３）の外側形状にそって形成された発泡スチロ−ル等の合成樹脂で出来ている。そうして、下部補助受体（１２）の底部には、前記水きり篭（３）の水きりのための多数の透孔（２）（２）に貫通する多数の柱体（１７）（１７）を有している。また、上部補助受体（１３）は、下面に前記本体ケース（５）を保持する凹凸（１８）、（１９）を有していて、本体ケース（５）の横方向の位置ぎめと移動を防止している。この上部補助受体（１３）と下部補助受体（１２）には、夫々前記蓋体（６）を収納するために対向した凹部（１４）、（１５）を有している。前記柱体（１７）（１７）は、水きり篭（３）の透孔（２）（２）の内、主として大きめの透孔に設けられ、全ての透孔に対して設けなくてもよい。
【００１５】
さらに、この柱体（１７）（１７）のうち、幾つかのものの高さを違えておいて、本体ケース（５）の横方向の位置ぎめと、移動の防止の働きを持たせることもできる。
【００１６】
そして、上下部補助受体（１２）、（１３）は、それぞれ、ほぼ左右対象に成形されていて、成形された後に分割される。
【００１７】
以上の構成において、本実施例における食器乾燥器の梱包作業は、以下のようにして行われる。
【００１８】
まず、図３に示す状態の段ボ−ル箱である箱体（１１）の上側フラップ（２１）、（２２）を開いて補助緩衝体の下部補助受体（１２）（１２）を箱体の底隅部に配置し、水受け篭（３）をその下部補助受体（１２）（１２）の内面に沿わせて載置する。この時、水受け篭（３）の底部に設けた多数の透孔（２）（２）のうち所定の透孔に前記補助受体の柱体（１７）（１７）を一致させ且つ貫通させる。この場合、先に、下部補助受体を水受け篭に装着してから箱体に収納してもよい。次に、本体ケース（５）を下部補助受体（１２）（１２）の柱体（１７）（１７）上に載置し、同時に蓋体（１３）（１３）を下部補助受体（１２）の凹部（１４）に収納し、上部補助受体（１３）をその凹凸（１８）（１９）に合わせて本体ケース（５）の上に載置する。
【００１９】
この時、本体ケース（５）は、上部補助受体（１３）の凹凸部（１８）（１９）に一致して配置され、横方向の移動を防止させる。また、蓋体（６）は、上部補助受体（１３）の凹所（１５）内に収納される。
【００２０】
最後に、箱体（１１）の上側のフラップ（２１）（２２）を閉じ、テープ若しくはステッチ（図示せず）にて封緘される。このフラップを閉じることで、補助受体（１２）（１３）は、箱体内に固定され、本体ケース（５）は、水受け篭内で下部補助受体の柱体（１７）と上部補助受体（１３）間で挟持され、上下左右への移動を阻止する。
【００２１】
【発明の効果】
以上のように、請求項１の記載の発明によれば、従来品のように本体ケースを保護する内緩衝体を略することができるので、材料費を軽減することが出来、しかも本体ケースの移動の防止を確実にさせることができる。従って、水受け篭内の擦り傷の付くのを防止する。
【００２２】
また、請求項２の記載の発明によれば、部分的に装着出来るので梱包作業を能率化出来る上に、なお更に材料費を軽減できる効果がある。
【図面の簡単な説明】
【図１】図１は、本発明の実施例の食器乾燥器の梱包装置を示す横断面図である。
【図２】図２は、本発明の実施例の側部から見た縦断面図である。
【図３】図３は、本発明の実施例の分解斜面図である。
【図４】図４は、食器乾燥器を示す分解斜視図である。
【図５】図５は、食器乾燥器を示す断面図である。
【図６】図６は、従来の食器乾燥器の梱包装置を示す縦断面図である。
【図７】図７は、従来の食器乾燥器の梱包装置の横断面図である。
【符号の説明】
１              食器乾燥器
２              透孔
３              水受け篭
４              容器
５              本体ケース
６              蓋体
７              開口
１１            箱体
１２            下部補助受体
１３            上部補助受体
１４、１５      凹所
１６            内緩衝体
１７            柱体
１８            凹部
１９            凸部
２０            開口
２１、２２      フラップ
【図１】
0003639357.tif 000002
【図２】
0003639357.tif 000003
【図３】
0003639357.tif 000004
【図４】
0003639357.tif 000005
【図５】
0003639357.tif 000006
【図６】
0003639357.tif 000007
【図７】
0003639357.tif 000008